(57)【要約】      （修正有）【課題】柱梁架構の単位構面全体での荷重と変形との関係（復元力特性）を調整可能とする制振構造を提案する。【解決手段】ブレース付柱梁架構１０に構成される制振構造であって、一方のブレースをエネルギー吸収機能を有する剛性の高い剛ブレース１５とし、他方のブレースを剛性は低いが弾性範囲の大きい復元機能を有する柔ブレース１４とした。剛ブレース１５には、ダンパー（摩擦ダンパー１８）を備え、鋼材とダンパー１８とで剛ブレース１５の弾性範囲と剛性とを調整可能とし、普通鋼で形成されたブレースよりも高い剛性を有するブレースとした。柔ブレース１４には、弾性体（皿バネ）を備え、柔ブレース１４の弾性範囲と剛性とを調整可能とし、普通鋼で形成されたブレースよりも高い弾性を有するブレースとした。【選択図】図１
2005325529.tif 000002
【特許請求の範囲】
【請求項１】
柱と梁によって構成された単位構面内に、一方の対角線上にエネルギー吸収機能を有する剛性の高いブレースを配置し、他方の対角線上に剛性は低いが弾性範囲の大きい復元機能を有するブレースを配置して成る、ブレース付柱梁架構を備えることを特徴とする制振構造。
【請求項２】
前記ブレース付柱梁架構に具備される各ブレースの弾性範囲及び剛性を調整可能に構成する、
請求項１に記載の制振構造。
【請求項３】
前記エネルギー吸収機能を有するブレースを、普通鋼で形成され該普通鋼を降伏させることで振動エネルギーを吸収するブレースよりも、剛性の高いブレースとし、
前記復元機能を有するブレースを、普通鋼で形成され該普通鋼を降伏させることで振動エネルギーを吸収するブレースよりも、剛性が低く且つ弾性範囲の大きいブレースとする、
請求項１又は請求項２に記載の制振構造。
【請求項４】
前記エネルギー吸収機能を有するブレースを、摩擦ダンパーを備えたブレースとする、
請求項１乃至請求項３のいずれかに記載の制振構造。
【請求項５】
前記復元機能を有するブレースを、普通鋼と比較して弾性範囲の大きい弾性体を、少なくともその一部分に備えたブレースとする、
請求項１乃至請求項３のいずれかに記載の制振構造。
【発明の詳細な説明】
【技術分野】
【０００１】
本発明は、建築物の柱梁架構がブレースによって補強されたブレース付柱梁架構に構成される制振構造であって、架構の荷重と変形との関係（復元力特性）を調整することを可能とする技術に関するものである。
【背景技術】
【０００２】
従来、建築物のための制振構造として、柱と梁により区画された単位構面内に、ブレースをＶ字状やＸ字状に架設したブレース付柱梁架構を備えた耐力壁の構造が公知である。
【０００３】
例えば、図６に示すように、梁１１・１１と柱１２・１２とで構成された単位構面１３内に二本の引張りブレース３１・３１をＸ字状に架設したブレース付柱梁架構を備えた耐力壁である。引張りブレースを備えた耐力壁は、ブレースが降伏するまでは比較的剛性が高く、安価であるため、主に住宅等の低層建築に多く採用されている。
また、図７に示すように、柱１２・１２と梁１１・１１とによるラーメン架構３３に、座屈を拘束した鋼材のブレースや、オイルダンパー・粘性ダンパー等のダンパーを内蔵したブレース３２・３２を配置して振動エネルギーを吸収し、振動を減衰する制振構造が広く採用されている。
【０００４】
さらに、強風や小規模の地震によって生じる小さな振幅の振動に対しても、十分な制振効果を得ることを目的として、柱梁架構により構成される単位構面内にＶ字状に二本のブレースを架設し、一方のブレースを、履歴減衰効果を有する非座屈型ブレースとし、他方を、粘性減衰効果を有するブレースとした制振構造が、特許文献１において公開されている。この制振構造の場合、振幅が大きな振動に対して、非座屈型のブレースが有効に減衰効果を発揮し、振幅が小さく且つ相対変位速度が大きな振動に対しては粘弾性効果を有するブレースが有効に減衰効果を発揮するように図られている。このように、柱梁架構に異なる特性を有する複数のブレースを備えた構造が公知となっている。
【０００５】
一方、特許文献２では、エネルギー吸収部材と、柱梁架構から振動をエネルギー吸収部材に伝達するブレースを設け、柱及びブレースの双方を高張力鋼等の高弾性素材を用いて弾性変形限度内で変形する弾性部材とし、エネルギー吸収部材を高張力鋼より比較的低弾性な普通鋼等の素材が用いられ最大規模の地震時には降伏して塑性変形する塑性化部材とする制振構造が、公開されている。
この制振構造では、最大規模の地震時には、エネルギー吸収部材が塑性変形することによって振動エネルギーを塑性歪エネルギーとして吸収するとともに、柱やブレースは弾性変形するに止まることによって、構造物全体の最大変形量や残留変形量を許容限度内に抑制するように図られている。
【０００６】
【特許文献１】特開２００１−１７３２６５号公報
【特許文献２】特開昭６３−８９７４３号公報
【発明の開示】
【発明が解決しようとする課題】
【０００７】
しかし、図６に示すような、Ｘ型の引張ブレース付柱梁架構では、大きな振動が入力されてブレースが降伏し塑性変形すると、残留変形が生じ、ブレースが元の長さに復元せずに弛んだ状態となり、本来よりも伸びた状態となったブレースが、さらに引っ張られて伸ばされるまで復元力が生じないため、振動エネルギー吸収機能が低下する。このように振動エネルギー吸収機能が低下すれば、次に、大地震時等において大きな振動が入力された場合には、柱梁架構の変形が大きくなり、さらに大きな塑性残留変形も生じることになる。
【０００８】
そこで、変形量を抑制するために、ブレースの断面積を大きくして剛性を上げると、応答変形は小さくなるが、ブレースが降伏し難くなるために応答加速度が大きくなり、ブレースが降伏する前に柱脚及びブレース端部の接合部等が破壊されてしまう可能性が高くなってしまう。
【０００９】
また、図７に示すように、エネルギー吸収機能を有するダンパーを備えたブレース付柱梁架構は、ラーメン構造に適応すれば、柱梁架構自体が復元力をもたらすことができるため、ダンパーが振動エネルギーを吸収して振動を減衰させ、柱梁架構がその形状を復元して制振構造として有効に機能する。しかし、柱梁架構がその形状を復元させることができるために十分な弾性を有しないような構造の場合には、架構に発生する復元力が十分でないために、大きな変形が残留することになる。
【００１０】
また、特許文献２では、エネルギー吸収部材（鋼材）を降伏させて振動エネルギーを吸収しているが、柱梁架構の単位構面全体での荷重と変形との関係（復元力特性）を自由に調整することができない。また、鋼材が降伏したあとは、復元力がゼロとなってしまうので、大地震のあと、残留水平変形が大きく成ってしまう可能性がある。
【００１１】
そこで、本発明では、ブレース付柱梁架構において、各ブレースの剛性と弾性範囲とを決定することで、柱梁架構の単位構面全体での荷重と変形との関係（復元力特性）を調整することを可能とし、大地震のような大きな振動が入力されたあとも有効な振動エネルギー吸収機能を保持することのできる制振構造を提案する。そして、ブレース付柱梁架構の振動エネルギー吸収能力を簡易且つ容易に調整することができるようにして、構造物の耐震設計を容易にするとともに制振構造に係るコストの低減を図り、規模の小さい住宅等の中低層の構造物であっても、各構造物に応じた振動エネルギー吸収能力を持たせることを可能とする制振構造を提案する。
【課題を解決するための手段】
【００１２】
本発明の解決しようとする課題は以上の如くであり、次にこの課題を解決するための手段を説明する。
【００１３】
即ち、請求項１においては、柱と梁によって構成された単位構面内に、一方の対角線上にエネルギー吸収機能を有する剛性の高いブレースを配置し、他方の対角線上に剛性は低いが弾性範囲の大きい復元機能を有するブレースを配置して成る、ブレース付柱梁架構を備える制振構造である。
【００１４】
請求項２においては、前記ブレース付柱梁架構に具備される各ブレースの弾性範囲及び剛性を調整可能に構成するものである。
【００１５】
請求項３においては、前記エネルギー吸収機能を有するブレースを、普通鋼で形成され該普通鋼を降伏させることで振動エネルギーを吸収するブレースよりも、剛性の高いブレースとし、前記復元機能を有するブレースを、普通鋼で形成され該普通鋼を降伏させることで振動エネルギーを吸収するブレースよりも、剛性が低く且つ弾性範囲の大きいブレースとするものである。
【００１６】
請求項４においては、前記エネルギー吸収機能を有するブレースを、摩擦ダンパーを備えたブレースとするものである。
【００１７】
請求項５においては、前記復元機能を有するブレースを、普通鋼と比較して弾性範囲の大きい弾性体を、少なくともその一部分に備えたブレースとするものである。
【発明の効果】
【００１８】
本発明の効果として、以下に示すような効果を奏する。
【００１９】
請求項１においては、大地震等で大きな振動が入力されてエネルギー吸収機能を有するブレースが降伏したあとも、復元機能を有するブレースが柱梁架構に復元力を与えるので、柱梁架構には常に復元力が有効に作用するため、柱梁架構及びブレースの残留変形の発生と残留変形量とを抑制することができる。
【００２０】
請求項２においては、同様の構造の制振機構であっても、単位構面ごとに荷重と変形との関係（復元力特性）を調整することができる。
【００２１】
請求項３においては、ブレース付柱梁架構の単位構面全体での弾性と剛性と降伏荷重とを別々に独立して設定することができるので、地震時の変形や応答加速度を意図的に低減することのできる弾塑性変形特性を有し、且つ、エネルギー吸収能力の高い耐力壁を設定することが可能となる。
【００２２】
請求項４においては、ブレース付柱梁架構の各ブレースの弾性範囲と剛性とを別々に独立して設定することができるので、地震時の変形や応答加速度を意図的に低減することのできる弾塑性変形特性を有し、且つ、エネルギー吸収能力の高い耐力壁を設定することが可能となる。
【００２３】
請求項５においては、ブレース付柱梁架構の各ブレースの弾性範囲と剛性とを別々に独立して設定することができるので、地震時の変形や応答加速度を意図的に低減することのできる弾塑性変形特性を有し、且つ、エネルギー吸収能力の高い耐力壁を設定することが可能となる。また、荷重と変形との関係（復元力特性）を簡易且つ容易に調整することができる。
【発明を実施するための最良の形態】
【００２４】
次に、発明の実施の形態を説明する。
図１は本発明に係る制振構造を備えたブレース付柱梁架構の全体的な構成を示す図、図２はブレース付柱梁架構の別形態の全体的な構成を示す図、図３は右向きの水平荷重が加わった場合の変形を示す図、図４は左向きの水平荷重が加わった場合の変形を示す図、図５は与えられた水平荷重と水平変形量の関係を示す図である。
図６は従来のＸ型ブレース付柱梁架構の構造を示す図、図７は従来のダンパーを備えたＸ型ブレース付柱梁架構の構造を示す図である。
【００２５】
本発明に係る制振構造では、耐力壁を構成する架構にダンパー等の制振部材を加えて、振動に対する応答を低減するに止まらず、さらに、制振部材としてのダンパーを備えたブレースに架構の耐力の一部分を負担させることのできる構造としていることを、特徴の一つとしている。
【００２６】
オイルダンパー等の粘性ダンパーは、流体の粘性抵抗を利用してエネルギーを消費する構造であり、減衰力が速度又は速度の指数乗に比例して発生する。粘性ダンパーは、外部から力が加わると流体が移動してしまうため剛性体としては機能しない。従って、粘性ダンパーを主架構に付加する制振部材として用いることができるが、制振部材として粘性ダンパーを備えたブレースに、主架構の耐力の一部分を負担させることができない。
また、粘弾性ダンパーは、高減衰性のゴムや合成樹脂の粘弾性を利用してエネルギーを消費する構造であり、変形に比例して耐力が生じる。粘弾性ダンパーは、振動数や温度に対する依存度が大きい。従って、粘弾性ダンパーは主架構に付加する制振部材としては用いることができるが、制振部材として粘弾性ダンパーを備えたブレースに架構の耐力の一部分を負担させるためには、変形や、振動数や温度の関係についての検証が必要であり採用するには困難である。
【００２７】
そこで、本発明に係る制振構造では、耐力壁を構成する架構に備える制振部材として摩擦ダンパーを採用している。摩擦ダンパーは、摩擦抵抗を利用してエネルギーを消費する構造のものである。
摩擦ダンパーを備えたブレースは、摩擦ダンパーを構成する摩擦部材が摩擦抵抗に抗して滑り始めるまで、通常のブレースとして機能することができるので、架構の耐力の一部分を負担させることができる。また、摩擦ダンパーを構成する摩擦部材が摩擦抵抗に抗して滑り始めてダンパーとして機能し始めれば、振動エネルギーを吸収することが可能となる。
【００２８】
しかし、上述の摩擦ダンパーを備えたブレースは弾塑性体であるので、このブレースを備えた架構は、塑性域においては、復元力が殆ど発生しない。
そこで、塑性域においても架構に復元力を働かせるために、上記ブレースに加えて、剛性は低いが弾性範囲の大きいブレースを備えている。
前記ブレースが降伏した後でも、この剛性は低いが弾性範囲の大きいブレースにて架構全体として大変形域まで復元力を発生させることができ、残留変形を小さくすることができる。
【００２９】
上述の如く、本発明に係る制振構造では、小変形域において振動エネルギーを吸収し始める剛性の高いブレースと、塑性域まで復元力をもたらす剛性の低いブレースとを組み合わせて架構に備えることにより、振動に対する応答を低減している。
【００３０】
本発明に係る制振構造は、図１に示す如く、左右の柱１２・１２と、上下の梁１１・１１とによって構成される単位構面１３内を、左右の柱１２・１２の上下方向略中央位置同士を連結する接続筋２２で二分割し、前記接続筋２２より上方では、柔ブレース１４と剛ブレース１５とがＶ字を形成し、該接続筋２２より下方では、柔ブレース１４と剛ブレース１５とが上下逆Ｖ字を形成するように配置された、ブレース付柱梁架構１０に構成される。
【００３１】
二本の柔ブレース１４・１４を略同一直線上（一方の対角線上）に位置するように配置され、また、二本の剛ブレース１５・１５は略同一直線上（他方の対角線上）に位置するように配置されている。
このように配置することにより、柔ブレース１４と剛ブレース１５の物性の違いにより生じる応力を打ち消し合うようにしている。
【００３２】
本実施例において、一方（上方）の柔ブレース１４は、上端が紙面右側の柱１２と上の梁１１との接合部に連結され、下端が接続筋２２の略中央に連結されている。また、他方（下方）の柔ブレース１４は、上端が接続筋２２の略中央に連結され、下端が左側の柱１２と下の梁１１との接合部に連結されている。
一方（上方）の剛ブレース１５は、上端が紙面左側の柱１２と上の梁１１との接合部に連結され、下端が接続筋２２の略中央に連結されている。また、他方（下方）の剛ブレース１５は、上端が接続筋２２の略中央に連結され、下端が右側の柱１２と下の梁１１との接合部に連結されている。
すなわち、柱１２・１２と梁１１・１１とによって略矩形状に形成された構面１３において、構面１３の一方の対角線上に柔ブレース１４・１４が配置され、他方の対角線上に剛ブレース１５・１５が配置されている。
なお、柔ブレース１４と、剛ブレース１５との配置は、互いに逆であっても良い。
【００３３】
前記柔ブレース１４は、ブレース付柱梁架構１０に備えられた柔要素として機能するブレースであって、地震等において荷重を受けることにより変形したブレース付柱梁架構１０を復元する復元機能が備えられている。
【００３４】
柔ブレース１４は、弾性範囲の大きい弾性体（ＰＣ鋼棒等）で構成して、剛ブレース１５が降伏したあともブレース付柱梁架構１０に復元力をもたらすことのできる復元機能を備えている。柔ブレース１４の弾性範囲及び剛性は、該柔ブレース１４を構成する弾性体を選定することで調節することができる。
【００３５】
但し、図２に示す如く、柔ブレース１４を、ブレースに皿バネ１９等の普通鋼と比較して高い弾性を有する弾性部材を少なくともその一部分に備えて構成し、復元機能を備えることもできる。この場合、柔ブレース１４の荷重と変形との関係（復元力特性）は、皿バネ１９を構成する皿の重ね枚数や皿の重ね方向、並列と直列の別、皿バネ１９の段数等、皿バネの様々な組み合わせによって、調整することができる。
【００３６】
前記剛ブレース１５は、ブレース付柱梁架構１０に備えられた剛要素として機能するブレースであって、振動エネルギーを吸収する機能が備えられ、地震による変形や応答加速度の低減を目的として設けられている。
剛ブレース１５には、エネルギー吸収機能を有する制振部材として、摩擦ダンパー１８を備えて、摩擦ダンパーが滑る（ダンパーとしてエネルギー吸収機能を発揮する）までは水平方向の力を負担し、摩擦ダンパーが滑ったあとは、振動エネルギーを吸収する機能を備えている。
【００３７】
なお、剛ブレース１５の弾性範囲及び剛性は調整可能に構成されている。剛ブレース１５の、弾性や剛性を大きくすることで、中地震時の水平変形を小さくすることができ、降伏応力を調整することで、水平変形の小さい時点からの振動エネルギーの吸収が可能となる。
摩擦ダンパー１８は、その摩擦係数と締め付け力とを調整することで、剛ブレース１５の降伏応力（降伏荷重）を調整することが可能である。また、摩擦ダンパー１８が連結された鋼材２０の断面積とヤング率とを変化させることにより、剛ブレース１５の剛性と弾性とを調整することができる。なお、摩擦ダンパー１８は剛塑性体として捉えることができ、ダンパーとしてエネルギー吸収機能を発揮するまでは、その剛性は無限大である。
【００３８】
そして、図３に示すように、紙面右側に向かう水平荷重がブレース付柱梁架構１０に加えられると、柔ブレース１４・１４が伸張するとともに剛ブレース１５・１５が圧縮されてブレース付柱梁架構１０が紙面右方向に変形する。
また、図４に示すように、紙面左側に向かう水平荷重がブレース付柱梁架構１０に加えられると、剛ブレース１５・１５が伸張するとともに柔ブレース１４・１４が圧縮されてブレース付柱梁架構１０が紙面右方向に変形する。
この、紙面右方向への変形と紙面左方向への変形とが柔ブレース１４・１４及び剛ブレース１５・１５との弾性に基づく復元力により繰り返される。
【００３９】
図５は、水平方向にブレース付柱梁架構に加えられた荷重と、これに対する水平方向の変形量の関係を示す図表である。
この図表に示すＨでは、図６に示すような、一般的な普通鋼を用いて構成された引張りブレースを配置したＸ型ブレース付柱梁架構３０での、水平荷重と水平変形量との関係を示している。Ｈでは、荷重Ｑｈが加わった点Ｈｘにおいて降伏し、荷重Ｑｈより大きい荷重が加わるとブレースは塑性変形するため、ブレース付柱梁架構３０は復元せず、残留変形が発生する。従って、大規模な地震等により、大きな振動が発生し、荷重Ｑｈより大きな水平荷重がブレース付柱梁架構３０に加わると、ブレース付柱梁架構３０が復元しないために振動エネルギー吸収機能が低下し、有効な制振構造として機能しないことになる。
【００４０】
図５に示す図表のＡは、ブレース付柱梁架構１０から柔ブレース１４を除いて剛ブレース１５のみとしたものに、水平荷重を与えたときの水平変形量を示している。
Ａでは、荷重Ｑａが加わった点Ａｘにおいて降伏し、荷重Ｑａより大きい荷重が加わると剛ブレース１５は塑性変形するため、剛ブレース１５は復元せず、残留変形が発生する。剛ブレース１５は点Ａｘまではブレースとして水平荷重を負担する。なお、荷重Ｑａは荷重Ｑｈより小さい値である。
また、図５に示す図表のＢは、ブレース付柱梁架構１０から剛ブレース１５を除いて柔ブレース１４のみとしたものに、水平荷重を与えたときの水平変形量を示している。
【００４１】
図５に示す図表のＨとＢとに示されるように、柔ブレース１４は、Ｈで示される耐力壁に用いられたブレースと比較して、大きな弾性範囲を有する。すなわち、柔ブレース１４は、高弾性素材や弾性体等の弾性要素を備えて、小さな荷重で大きく変形し、また、変形しても復元力が大きく、剛ブレース１５が降伏したあとも、ブレース付柱梁架構に復元力を与えることのできるように構成する。
また、図５に示す図表のＨとＡとに示されるように、剛ブレース１５は、Ｈで示されるブレース付柱梁架構３０に用いられたブレースと比較して、大きな剛性を有するように構成する。
【００４２】
そして、図５に示す図表のＣでは、柔ブレース１４と剛ブレース１５とをＸ型ブレース付柱梁架構に配置したブレース付柱梁架構１０での、水平荷重と水平変形量との関係を示している。
柔ブレース１４と剛ブレース１５とを組み合わせて構成されるブレース付柱梁架構１０では、図５に示す図表のＣに示されるように、柔ブレース１４と剛ブレース１５とのそれぞれの弾塑性変形特性を合わせた特性を有することになる。すなわち、荷重Ｑｃが加わる点Ｃｘ（擬降伏点Ｃｘ）において、弾塑性変形特性が変化し、荷重Ｑｃより小さな荷重が加わっている間は、主に剛ブレース１５の弾塑性変形特性が表れた変形（「一次変形」とする）が発生し、荷重Ｑｃより大きな荷重が加わってからは、主に柔ブレース１４の弾塑性変形特性が表れた変形（「二次変形」とする」が表れる。
【００４３】
擬降伏点Ｃｘでの荷重Ｑｃは、剛ブレース１５が降伏する荷重Ｑａにほぼ相応している。すなわち、ブレース付柱梁架構１０は、剛ブレース１５が降伏するまでは、主に、剛ブレース１５の圧縮ブレースとしての剛性によって、水平変形が抑制されるとともに、剛ブレース１５と柔ブレース１４との弾性によりブレース付柱梁架構が復元する。
そして、ブレース付柱梁架構１０は、擬降伏点Ｃｘを超えて剛ブレース１５が降伏したあとは、剛ブレース１５に設けられた摩擦ダンパー１８により振動エネルギーが吸収され、柔ブレース１４の弾性によって常に水平変形をゼロに戻そうとする復元力が発生する。
【００４４】
この結果、図５に示す図表のＨとＣとの関係に示されるように、ブレース付柱梁架構１０は従来のブレース付柱梁架構３０に比較して、大きな荷重に対しても有効な復元力を有することになり、残留変形の発生及び残留変形量が抑制されている。従って、大規模な地震等によりブレース付柱梁架構１０に大きな荷重が加わっても、多少の残留変形は発生するものの、ブレース付柱梁架構１０はほぼ復元される。
【００４５】
上述のブレース付柱梁架構１０では、柔ブレース１４と剛ブレース１５との、各弾塑性変形特性（弾性範囲及び剛性）を設定することによって、一次変形と二次変形とに現れるブレース付柱梁架構１０の弾塑性変形特性を自在に設定することができる。
すなわち、一次変形での、ブレース付柱梁架構１０の弾塑性変形特性は、剛ブレース１５の剛性及び弾性範囲を調整することによって設定することができる。また、二次変形での、ブレース付柱梁架構１０の弾塑性変形特性は、柔ブレース１４の剛性及び弾性範囲を調整することによって設定することできる。
【００４６】
このように、柱梁架構の単位構面全体での弾塑性変形特性（復元力特性）を別々に独立して設定することができるので、地震時の変形や応答加速度を意図的に低減することのできるかたちに調整できるので、エネルギー吸収能力の高い耐力壁を設定することが可能となる。
【００４７】
また、ブレース付柱梁架構１０の剛性と弾性範囲とを独立して設定できることにより、ブレース付柱梁架構１０の剛性を決定したあとで、降伏荷重を調整することができるので、ブレース付柱梁架構１０のバリエーションの設計が容易且つ簡易となる。構造が簡易であるので、大規模な商業施設やプラント等の構造物に限らず、規模の小さい住宅等の中低層の構造物であっても、各構造物に応じた制振能力を持たせることができる。
【図面の簡単な説明】
【００４８】
【図１】本発明に係る制振構造を備えたブレース付柱梁架構の全体的な構成を示す図。
【図２】ブレース付柱梁架構の別形態の全体的な構成を示す図。
【図３】右向きの水平荷重が加わった場合の変形を示す図。
【図４】左向きの水平荷重が加わった場合の変形を示す図。
【図５】与えられた水平荷重と水平変形量の関係を示す図。
【図６】従来のＸ型ブレース付柱梁架構の構造を示す図。
【図７】従来のダンパーを備えたＸ型ブレース付柱梁架構の構造を示す図。
【符号の説明】
【００４９】
１０  ブレース付柱梁架構
１１  梁
１２  柱
１３  構面
１４  柔ブレース
１５  剛ブレース
１８  摩擦ダンパー
１９  皿バネ
【図１】
2005325529.tif 000003
【図２】
2005325529.tif 000004
【図３】
2005325529.tif 000005
【図４】
2005325529.tif 000006
【図５】
2005325529.tif 000007
【図６】
2005325529.tif 000008
【図７】
2005325529.tif 000009